(57)【要約】【課題】複数の相手に情報を伝達する際に、情報の記録の終了を待つことなく、複数の相手に素早く同じ情報を伝えると共に、より正確に情報を伝達することを可能とする通信装置を提供することを目的とする。【解決手段】発信用通信回線毎に再生用バッファを有することにより、記憶装置１０４に記憶されたデータを一旦再生用バッファに保持してから送信するために、データ送信者がデータを送信・記録中であっても、複数のデータ受信者が記録されたデータの最初から受信することができ、複数の相手に素早く同じ情報を伝えると共に、より正確に情報を伝達することができる。【選択図】　　図１
2004135205.tif 000002
【特許請求の範囲】
【請求項１】
第１の通信端末に接続された通信受信部と、
１または２以上の第２の通信端末と接続して各第２の通信端末に通信を行う通信発信部と、
データを記憶する記憶装置と、
前記通信受信部に接続して受信データを一時保持する受信用バッファと、
前記通信発信部に接続して各第２の通信端末毎の発信データを一時保持する発信用バッファと、
前記通信受信部で受信したデータを前記受信用バッファを介して前記記憶装置に記憶し前記記憶装置のデータを前記発信用バッファを介して前記通信発信部に転送するデータ制御部と
を有し、前記通信受信部よりデータを受信すると、受信したデータを記憶装置に記憶すると共に、前記各第２の通信端末に通信を行い、通信可能になった第２の通信端末毎に順次前記記憶装置のデータを送信することを特徴とする通信装置。
【請求項２】
第１の通信端末からの受信データまたは第２の通信端末からの受信データのいずれかを選択して入力する切り替え部と、
前記切り替え部から入力されたデータを受信する通信受信部と、
１または２以上の第２の通信端末と接続して各第２の通信端末に通信を行う通信発信部と、
データを記憶する記憶装置と、
前記通信受信部に接続して受信データを一時保持する受信用バッファと、
前記通信発信部に接続して各第２の通信端末毎の発信データを一時保持する発信用バッファと、
前記通信受信部で受信したデータを前記受信用バッファを介して前記記憶装置に記憶し前記記憶装置のデータを前記発信用バッファを介して前記通信発信部に転送するデータ制御部と
を有し、前記第１の通信端末または前記第２の通信端末よりデータを受信すると、前記切り替え部により受信したデータを選択して記憶装置に記憶すると共に、送信した通信端末以外の通信端末に通信を行い、通信可能になった通信端末毎に順次前記記憶装置のデータを送信することを特徴とする通信装置。
【請求項３】
前記記憶装置はランダムアクセス可能な記録媒体により構成されることを特徴とする請求項１または請求項２のいずれかに記載の通信装置。
【請求項４】
前記記録媒体はハードディスクであることを特徴とする請求項３記載の通信装置。
【請求項５】
記録されたデータを先頭から発信することを特徴とする請求項１または請求項２または請求項３または請求項４のいずれかに記載の通信装置。
【請求項６】
登録情報に任意の前記第２の通信端末の情報を登録しておき、前記登録情報に登録された通信端末にデータを発信することを特徴とする請求項１または請求項２または請求項３または請求項４または請求項５のいずれかに記載の通信装置。
【請求項７】
通信可能にならない発信用通信回線に対して所定の回数通信を再試行することを特徴とする請求項１または請求項２または請求項３または請求項４または請求項５または請求項６のいずれかに記載の通信装置。
【請求項８】
前記データが少なくとも音声データを含む情報であることを特徴とする請求項１または請求項２または請求項３または請求項４または請求項５または請求項６または請求項７のいずれかに記載の通信装置。
【請求項９】
前記通信端末が音声を入出力する手段を有することを特徴とする請求項１または請求項２または請求項３または請求項４または請求項５または請求項６または請求項７または請求項８のいずれかに記載の通信装置。
【請求項１０】
前記通信端末は携帯電話、ＰＨＳあるいは固定電話であることを特徴とする請求項９記載の通信装置。
【請求項１１】
前記登録情報は電話番号を含む情報であることを特徴とする請求項１０記載の通信装置。
【請求項１２】
通信端末から送信される音声データを認識して前記切り替え部を切り替えることにより、データを受信する対象を切り替えることを特徴とする請求項２記載の通信装置。
【請求項１３】
前記通信端末のボタン操作により前記切り替え部を切り替えて、データを受信する対象を切り替えることを特徴とする請求項２記載の通信装置。
【請求項１４】
データを記録する対象が切り替わった後、直前にデータを受信する対象であった通信端末に対しては、切り替わった後に受信されたデータから送信することを特徴とする請求項２または請求項１２または請求項１３のいずれかに記載の通信装置。
【請求項１５】
最も新しく記録されたデータ位置であるライブ位置を送信しているか否かを知らせるメッセージを通信可能状態となった直後に送信することを特徴とする請求項１または請求項２または請求項３または請求項４または請求項５または請求項６または請求項７または請求項８または請求項９または請求項１０または請求項１１または請求項１２または請求項１３または請求項１４のいずれかに記載の通信装置。
【請求項１６】
前記通信端末が通信可能状態となった時点でライブ位置から送信するか前記メッセージを送信するかを任意に選択可能であることを特徴とする請求項１５記載の通信装置。
【請求項１７】
前記通信端末からの操作により、任意の位置からデータを送信することを特徴とする請求項１または請求項２または請求項３または請求項４または請求項５または請求項６または請求項７または請求項８または請求項９または請求項１０または請求項１１または請求項１２または請求項１３または請求項１４または請求項１５または請求項１６のいずれかに記載の通信装置。
【請求項１８】
前記通信端末からの操作によりライブ位置からデータを送信することを特徴とする請求項１７記載の通信装置。
【請求項１９】
前記通信端末からの操作により、データを記録する対象が切り替わった位置からデータを送信することを特徴とする請求項１７記載の通信装置。
【請求項２０】
前記通信端末からのボタン操作により、任意の位置からデータを送信することを特徴とする請求項１７または請求項１８または請求項１９に記載の通信装置。
【請求項２１】
あらかじめ指定された通信端末が記録したデータのみを送信することを特徴とする請求項１７記載の通信装置。
【請求項２２】
受信データの切り替えをデータ記録中の通信端末からの記録終了の情報受信後に行うことを特徴とする請求項２または請求項１２または請求項１３または請求項１４または請求項１５または請求項１６または請求項１７または請求項１８または請求項１９または請求項２０または請求項２１のいずれかに記載の通信装置。
【請求項２３】
前記記録終了の情報の発信を前記通信端末のボタン操作により行うことを特徴とする請求項２２に記載の通信装置。
【請求項２４】
前記記録終了の情報の発信を所定の時間以上通信端末から送信されるデータが途絶えた場合に行うことを特徴とする請求項２２または請求項２３のいずれかに記載の通信装置。
【請求項２５】
前記登録情報は登録する通信端末の優先順位情報を含み、前記優先順位情報が示す優先順位の高い通信端末のデータを優先的に記録することを特徴とする請求項２または請求項６または請求項７または請求項８または請求項９または請求項１０または請求項１１または請求項１２または請求項１３または請求項１４または請求項１５または請求項１６または請求項１７または請求項１８または請求項１９または請求項２０または請求項２１または請求項２２または請求項２３または請求項２４または請求項２５のいずれかに記載の通信装置。
【請求項２６】
前記優先順位情報を通信端末のアクセス頻度によって段階的に変更することを特徴とする請求項２５記載の通信装置。
【請求項２７】
前記アクセス頻度はデータの記録回数であることを特徴とする請求項２６に記載の通信装置。
【請求項２８】
前記アクセス頻度はデータの記録時間であることを特徴とする請求項２６に記載の通信装置。
【請求項２９】
通信端末の操作によって他の通信端末の状況を確認することを特徴とする請求項２または請求項１２または請求項１３または請求項１４または請求項１５または請求項１６または請求項１７または請求項１８または請求項１９または請求項２０または請求項２１または請求項２２または請求項２３または請求項２４または請求項２５または請求項２６または請求項２７または請求項２８のいずれかに記載の通信装置。
【請求項３０】
前記他の通信端末の状況は通信可能状態の通信端末の総数であることを特徴とする請求項２９に記載の通信装置。
【発明の詳細な説明】
【０００１】
【発明の属する技術分野】
本発明は、複数の相手に素早く同じ情報を伝えることを可能とする通信装置に関する。
【０００２】
【従来の技術】
従来、電話を使って同じ会話の内容を繰り返し話すことなく、短時間に多くの相手に音声データを伝達する方法として、音声データを個人情報端末に保存しておき、この端末にあらかじめ登録しておいた相手の電話番号に対して、この端末に接続された電話から順に発信し、応答があった相手に対して保存された音声データを再生していく方法があった（例えば特許文献１参照）。
【０００３】
【特許文献１】
特開２００１−３３３２１２号公報
【０００４】
【発明が解決しようとする課題】
しかしながら、上述した従来の技術にあっては、個人情報端末に伝えたいメッセージを保存し終わるまで、相手にメッセージを伝えることができないと言う問題点があった。例えば、火事、災害、不審者の侵入等の緊急時において、指示や現場の状況を詳細に伝えようとすればするほどメッセージは長くなる。このため、相手に情報が伝わる頃には、事態が悪化している可能性がある。
【０００５】
本発明の通信装置は、上記問題点を解決するために、複数の相手に情報を伝達する際に、情報の記録の終了を待つことなく、複数の相手に素早く同じ情報を伝えると共に、より正確に情報を伝達することを可能とする通信装置を提供することを目的とする。
【０００６】
【課題を解決するための手段】
本発明の請求項１に記載の通信装置は、第１の通信端末に接続された通信受信部と、１または２以上の第２の通信端末と接続して各第２の通信端末に通信を行う通信発信部と、データを記憶する記憶装置と、前記通信受信部に接続して受信データを一時保持する受信用バッファと、前記通信発信部に接続して各第２の通信端末毎の発信データを一時保持する発信用バッファと、前記通信受信部で受信したデータを前記受信用バッファを介して前記記憶装置に記憶し前記記憶装置のデータを前記発信用バッファを介して前記通信発信部に転送するデータ制御部とを有し、前記通信受信部よりデータを受信すると、受信したデータを記憶装置に記憶すると共に、前記各第２の通信端末に通信を行い、通信可能になった第２の通信端末毎に順次前記記憶装置のデータを送信することを特徴とする。
【０００７】
請求項２に記載の通信装置は、第１の通信端末からの受信データまたは第２の通信端末からの受信データのいずれかを選択して入力する切り替え部と、前記切り替え部から入力されたデータを受信する通信受信部と、１または２以上の第２の通信端末と接続して各第２の通信端末に通信を行う通信発信部と、データを記憶する記憶装置と、前記通信受信部に接続して受信データを一時保持する受信用バッファと、前記通信発信部に接続して各第２の通信端末毎の発信データを一時保持する発信用バッファと、前記通信受信部で受信したデータを前記受信用バッファを介して前記記憶装置に記憶し前記記憶装置のデータを前記発信用バッファを介して前記通信発信部に転送するデータ制御部とを有し、前記第１の通信端末または前記第２の通信端末よりデータを受信すると、前記切り替え部により受信したデータを選択して記憶装置に記憶すると共に、送信した通信端末以外の通信端末に通信を行い、通信可能になった通信端末毎に順次前記記憶装置のデータを送信することを特徴とする。
【０００８】
請求項３に記載の通信装置は、請求項１または請求項２のいずれかに記載の通信装置において、前記記憶装置はランダムアクセス可能な記録媒体により構成されることを特徴とする。
【０００９】
請求項４に記載の通信装置は、請求項３記載の通信装置において、前記記録媒体はハードディスクであることを特徴とする。
請求項５に記載の通信装置は、請求項１または請求項２または請求項３または請求項４のいずれかに記載の通信装置において、記録されたデータを先頭から発信することを特徴とする。
【００１０】
請求項６に記載の通信装置は、請求項１または請求項２または請求項３または請求項４または請求項５のいずれかに記載の通信装置において、登録情報に任意の前記第２の通信端末の情報を登録しておき、前記登録情報に登録された通信端末にデータを発信することを特徴とする。
【００１１】
請求項７に記載の通信装置は、請求項１または請求項２または請求項３または請求項４または請求項５または請求項６のいずれかに記載の通信装置において、通信可能にならない発信用通信回線に対して所定の回数通信を再試行することを特徴とする。
【００１２】
請求項８に記載の通信装置は、請求項１または請求項２または請求項３または請求項４または請求項５または請求項６または請求項７のいずれかに記載の通信装置において、前記データが少なくとも音声データを含む情報であることを特徴とする。
【００１３】
請求項９に記載の通信装置は、請求項１または請求項２または請求項３または請求項４または請求項５または請求項６または請求項７または請求項８のいずれかに記載の通信装置において、前記通信端末が音声を入出力する手段を有することを特徴とする。
【００１４】
請求項１０に記載の通信装置は、請求項９記載の通信装置において、前記通信端末は携帯電話、ＰＨＳあるいは固定電話であることを特徴とする。
請求項１１に記載の通信装置は、請求項１０記載の通信装置において、前記登録情報は電話番号を含む情報であることを特徴とする。
【００１５】
請求項１２に記載の通信装置は、請求項２記載の通信装置において、通信端末から送信される音声データを認識して前記切り替え部を切り替えることにより、データを受信する対象を切り替えることを特徴とする。
【００１６】
請求項１３に記載の通信装置は、請求項２記載の通信装置において、前記通信端末のボタン操作により前記切り替え部を切り替えて、データを受信する対象を切り替えることを特徴とする。
【００１７】
請求項１４に記載の通信装置は、請求項２または請求項１２または請求項１３のいずれかに記載の通信装置において、データを記録する対象が切り替わった後、直前にデータを受信する対象であった通信端末に対しては、切り替わった後に受信されたデータから送信することを特徴とする。
【００１８】
請求項１５に記載の通信装置は、請求項１または請求項２または請求項３または請求項４または請求項５または請求項６または請求項７または請求項８または請求項９または請求項１０または請求項１１または請求項１２または請求項１３または請求項１４のいずれかに記載の通信装置において、最も新しく記録されたデータ位置であるライブ位置を送信しているか否かを知らせるメッセージを通信可能状態となった直後に送信することを特徴とする。
【００１９】
請求項１６に記載の通信装置は、請求項１５記載の通信装置において、前記通信端末が通信可能状態となった時点でライブ位置から送信するか前記メッセージを送信するかを任意に選択可能であることを特徴とする。
【００２０】
請求項１７に記載の通信装置は、請求項１または請求項２または請求項３または請求項４または請求項５または請求項６または請求項７または請求項８または請求項９または請求項１０または請求項１１または請求項１２または請求項１３または請求項１４または請求項１５または請求項１６のいずれかに記載の通信装置において、前記通信端末からの操作により、任意の位置からデータを送信することを特徴とする。
【００２１】
請求項１８に記載の通信装置は、請求項１７記載の通信装置において、前記通信端末からの操作によりライブ位置からデータを送信することを特徴とする。
請求項１９に記載の通信装置は、請求項１７記載の通信装置において、前記通信端末からの操作により、データを記録する対象が切り替わった位置からデータを送信することを特徴とする。
【００２２】
請求項２０に記載の通信装置は、請求項１７または請求項１８または請求項１９に記載の通信装置において、前記通信端末からのボタン操作により、任意の位置からデータを送信することを特徴とする。
【００２３】
請求項２１に記載の通信装置は、請求項１７記載の通信装置において、あらかじめ指定された通信端末が記録したデータのみを送信することを特徴とする。
請求項２２に記載の通信装置は、請求項２または請求項１２または請求項１３または請求項１４または請求項１５または請求項１６または請求項１７または請求項１８または請求項１９または請求項２０または請求項２１のいずれかに記載の通信装置において、受信データの切り替えをデータ記録中の通信端末からの記録終了の情報受信後に行うことを特徴とする。
【００２４】
請求項２３に記載の通信装置は、請求項２２に記載の通信装置において、前記記録終了の情報の発信を前記通信端末のボタン操作により行うことを特徴とする。
【００２５】
請求項２４に記載の通信装置は、請求項２２または請求項２３のいずれかに記載の通信装置において、前記記録終了の情報の発信を所定の時間以上通信端末から送信されるデータが途絶えた場合に行うことを特徴とする。
【００２６】
請求項２５に記載の通信装置は、請求項２または請求項６または請求項７または請求項８または請求項９または請求項１０または請求項１１または請求項１２または請求項１３または請求項１４または請求項１５または請求項１６または請求項１７または請求項１８または請求項１９または請求項２０または請求項２１または請求項２２または請求項２３または請求項２４または請求項２５のいずれかに記載の通信装置において、前記登録情報は登録する通信端末の優先順位情報を含み、前記優先順位情報が示す優先順位の高い通信端末のデータを優先的に記録することを特徴とする。
【００２７】
請求項２６に記載の通信装置は、請求項２５記載の通信装置において、前記優先順位情報を通信端末のアクセス頻度によって段階的に変更することを特徴とする。
【００２８】
請求項２７に記載の通信装置は、請求項２６に記載の通信装置において、前記アクセス頻度はデータの記録回数であることを特徴とする。
請求項２８に記載の通信装置は、請求項２６に記載の通信装置において、前記アクセス頻度はデータの記録時間であることを特徴とする。
【００２９】
請求項２９に記載の通信装置は、請求項２または請求項１２または請求項１３または請求項１４または請求項１５または請求項１６または請求項１７または請求項１８または請求項１９または請求項２０または請求項２１または請求項２２または請求項２３または請求項２４または請求項２５または請求項２６または請求項２７または請求項２８のいずれかに記載の通信装置において、通信端末の操作によって他の通信端末の状況を確認することを特徴とする。
【００３０】
請求項３０に記載の通信装置は、請求項２９に記載の通信装置において、前記他の通信端末の状況は通信可能状態の通信端末の総数であることを特徴とする。
以上のように、本発明の通信装置によると、複数の相手に素早く同じ情報を伝えると共に、より正確に情報を伝達することができる。
【００３１】
【発明の実施の形態】
以下、本発明の実施の形態について図面を参照しながら説明する。
（実施の形態１）
まず、本発明の実施の形態１における通信装置を図１，図２を用いて説明する。
【００３２】
図１は本発明の実施の形態１に係る通信装置の構成を示すブロック図であり、図２は本発明の実施の形態１に係る登録情報の構成を示す図である。
図１において、通信装置Ａは、電話受信部１０１、制御部１０２、音声記録部１０３、記憶装置１０４、音声再生部１０５、電話発信部１０６により構成されている。
【００３３】
以下、これら各部について説明する。
電話受信部１０１は応答用電話回線を１回線有し、他の固定電話、携帯電話、ＰＨＳ等からの発信を受信する電話受信手段として動作する。なお、電話回線はアナログ、デジタル等の種別に限定されるものではない。
【００３４】
制御部１０２は、各部を制御する制御手段として動作する。
音声記録部１０３は、記憶装置１０４に音声データを記録する音声記録手段として動作する。アナログ回線から受信したデータの場合、Ａ／Ｄ変換した音声データを記録する。なお、この際にＭＰＥＧ等の圧縮技術により音声データを圧縮して記録しても良い。
【００３５】
記憶装置１０４はハードディスクであり、音声データを記憶する記憶手段として動作する。なお、この記憶装置は、ランダムアクセス性があり、高速に音声データの書き込み、読み出しが可能な記録媒体であれば良い。
【００３６】
音声再生部１０５は、記憶装置１０４に記憶された音声データを読み出し、再生する音声再生手段として動作する。
電話発信部１０６は発信用電話回線を、少なくとも１回線以上有し、後述する登録情報に登録された電話番号に電話を発信する電話発信手段として動作する。
【００３７】
このような部材により構成される通信装置Ａの動作について、図面を参照しつつ説明する。
まず利用者は、皆に伝えたいメッセージを伝えるべく通信装置Ａに電話をかける。以降この利用者を、火事、災害、不審者の侵入等の緊急を要する事件／事態を発見したものとして第一発見者と呼ぶ。
【００３８】
第一発見者からの電話発信は、電話受信部１０１が検知し、制御部１０２に通知する。制御部１０２はこの通知を受け、音声記録部１０３に、音声データを記録可能状態にするよう通知する。音声記録部１０３が記録可能状態となった後、制御部１０２は電話受信部１０１に電話の応答を行うよう通知する。電話受信部１０１はこの通知を受け、第一発見者からの電話発信に応答する。電話受信部１０１が応答すると、第一発見者は一般的な電話の扱いのように、メッセージを話しかけることができる。例えば、「不審者が敷地内に侵入した」等の、伝えたいメッセージを話しかける。電話受信部１０１は、この音声データであるメッセージを音声記録部１０３に転送する。音声記録部１０３は転送される音声データを記憶装置１０４に記録する。なお、メッセージの長さは特に制限されるものではなく、第一発見者が伝えたい内容を記憶装置１０４の記憶容量の限り、時間を気にせず話し続ければ良い。記録が開始されると、制御部１０２は、電話発信部１０６に登録情報に登録された電話番号に電話を発信するよう通知する。
【００３９】
ここで登録情報について図２を用いて説明する。
図２において、登録情報には少なくとも、電話を発信する相手の電話番号２０１が登録されている。この電話番号は、あらかじめ登録して記憶装置１０４に記録しておけば良い。例えば、学校であれば、校長を始め、教頭、学年主任、教師等、緊急を要する事態、事件に対処可能な人物が持つ携帯電話、ＰＨＳ等の電話番号を登録しておけば良い。また、警察や消防等、外部の公的機関を登録しておき、万が一の事態に備えることも可能である。登録者の最大数は電話発信部１０６が有する発信用電話回線の総数以内であれば良い。さらに、登録者の追加、削除、電話番号変更等が生じた時は、柔軟に対応できることが好ましい。この場合別途、登録情報をＴＶ画面等に出力する出力部と、登録者の追加、削除をＧＵＩ（Ｇｒａｐｈｉｃａｌ　Ｕｓｅｒ　Ｉｎｔｅｒｆａｃｅ）等で実現する操作部を設ける必要があるが、詳述はしない。
【００４０】
電話発信部１０６は、制御部１０２からの通知を受け、登録情報に登録された電話番号に対して一斉に発信する。電話番号の登録者が電話に応答すると、電話発信部１０６は音声再生部１０５に音声データを再生するように通知する。なお、所定の時間以内に応答のない電話に対しては、再度発信を行い、確実に登録者が電話に出れられるようにするのが好ましい。
【００４１】
通知を受けると、音声再生部１０５は記憶装置１０４に記憶された音声データを先頭から読み出して再生する。このとき、第一発見者のメッセージの記録が行われている最中であっても、記録された音声データを最初から再生する。音声記録部１０３は、記録用バッファを持ち、音声再生部１０５は再生用バッファを持つ。制御部１０２は、記録用バッファに所定量の音声データが溜まると、音声記録部１０３に対して溜まった音声データを記憶装置１０４に書き込むよう通知する。また、再生用バッファの音声データが所定の量以下になると、音声再生部１０５に対して記憶装置１０４から記憶された音声データを読み出すように通知する。記録用バッファ、再生用バッファを持ち、双方に記録されるデータ量がオーバーフロー、アンダーフローを起こさないように制御部１０２が制御することにより、音声データを同時に記録、再生することができる。なお、再生用バッファを発信用電話回線分持つことにより、一度に複数の登録者に対して音声データを再生することができる。
【００４２】
以上説明した本実施の形態１に係る通信装置であれば、データ送信者がデータを送信・記録中であっても、複数のデータ受信者が記録されたデータの最初から受信することができ、複数の相手に素早く同じ情報を伝えると共に、より正確に情報を伝達することができる。
（実施の形態２）
実施の形態１においては、第一発見者のメッセージを通信装置Ａに登録された登録者の電話に、一方向に伝えるものとしていた。実施の形態２では、登録者が第一発見者のメッセージの内容を聞いた後、第一発見者とメッセージを確認し合うことのできる装置について、図３を参照しつつ説明する。
【００４３】
図３は本発明の実施の形態２に係る通信装置の構成を示すブロック図である。
図３において、通信装置Ａと異なる点は、新たに切り替え部３０７を備えていることである。
【００４４】
まず、ある登録者が、メッセージの内容を聞いた後、メッセージの確認のために電話に話しかける。メッセージの確認とは、第一発見者のメッセージの内容が「不審者が侵入した」と言うメッセージであれば、「いつ」、「どこで」、「どのような」等と言ったものであり、通常の電話同士の会話と変わるものではない。切り替え部３０７は、電話受信部１０１または電話発信部１０６から入力される音声データ、即ち登録者の声を認識し、認識された電話からの音声データを記録するよう、音声記録部１０３に通知する（以降、この動作を記録対象の切り替えと呼ぶ）。
【００４５】
この通知を受けた音声記録部１０３は、第一発見者のメッセージに続けて、後続するメッセージを記憶装置１０４に記録する。なお、切り替え部３０７が記録対象の切り替えを行うのは、登録者の声の認識によるものに限定されるものではなく、利用者のボタン操作を検出するものであっても良い。音声再生部１０５は記録対象の切り替えがあると、今まで記録を行っていた電話に対しては、現在の記録位置であるライブ位置から再生を開始する。これ以降、登録者の音声が再生されているときに第一発見者が話しかけると、記録の対象が第一発見者に再び切り替わり、これを繰り返すことにより相互にメッセージを確認し合うことができる。また、登録者は複数人であるため、それぞれの意見を皆で共有したり、皆が話している内容をただ傍聴することもできる。
【００４６】
以上説明した本発明の実施の形態２に係る通信装置であれば、データ送信者のデータを受信した後、データ送信者にアクセスすることなくデータの内容を確認することができ、複数の相手に素早く同じ情報を伝えると共に、より正確に情報を伝達することを可能とすることができる。
（実施の形態３）
前述の実施の形態１および実施の形態２では第一発見者が電話をかけてから、登録者が電話をとるまでの時間を特に考慮せずに説明した。実施の形態３では、登録者がどのタイミングで電話をとっても、前述したメッセージの確認が簡単に行える通信装置について、図３，図４を参照しつつ説明する。
【００４７】
図４（ａ）は本発明の実施の形態３に係る記憶装置に記憶されるメッセージを例示する図，図４（ｂ）は登録者が電話で聴く内容を例示する図である。
図４において、前述したように、登録者が電話をとると、記憶装置１０４に記憶された音声データの先頭から再生される。例えば、記録開始直後であるＴ１のタイミングで電話に出ても、しばらく記録が進んだ状態であるＴ２のタイミングで電話に出ても、先頭から再生される。メッセージの確認のため登録者が話しかけるには、Ｔ１の位置のように古い情報ではなく、現在の記録位置であるライブ位置を聞いている必要がある。そこでまず音声再生部１０５は、登録者が現在の記録位置であるライブ位置を聴いているのか、それともＴ１、Ｔ２のような位置を聴いているのかを知らせる応答メッセージ４０１をまず再生する。応答メッセージ４０１の内容は特に限定されるものではなく、単にライブ位置ではないことを通知するものでも良いが、ライブ位置までの時間や、話した人ののべ人数を知らせたりするのが好ましい。後に記憶装置１０４に記憶された音声データの先頭から再生する。
【００４８】
なお、登録者が電話を取ったタイミングがＴ１のような記録開始直後である場合は、ライブ位置にほぼ等しいため、応答メッセージ４０１を特に挿入する必要はない。
【００４９】
音声再生部１０５が応答メッセージ４０１を再生した後、切り替え部３０７は利用者のボタン操作を待つ待機状態となる。利用者がボタン操作を行うと、切り替え部３０７は音声再生部１０５に再生をスキップするよう通知する。通知を受けた音声再生部１０５は、記憶装置１０４に記憶された音声データのライブ位置から再生する。また、このように一回のボタン操作でライブ位置から再生する方法の他に、複数回のボタン操作で再生の位置をライブ位置に近づける方法がある。前述した記録対象の切り替えがあった位置（図４の破線で示す）まで再生位置をスキップしても良いし、あらかじめ決められ、登録情報等に保持しておいた登録者の音声データのみ再生するようにしても良い。
【００５０】
以上説明したように、本発明の実施の形態３に係る通信装置によれば、データ受信者がどのタイミングでデータを受信しても、直ちにライブ位置からのデータを受信することができ、即ち、後からデータを受信し始めたり、アクセスし直してきたデータ受信者でもすぐにデータの送受信に参加することができるため、複数の相手に素早く同じ情報を伝えると共に、より正確に情報を伝達することを可能とすることができる。
（実施の形態４）
前述の実施の形態では、記録対象の切り替えは、登録者の声を認識し、切り替えるものとして説明した。本実施の形態では、記録対象の切り替えを、記録している利用者の許可があるまで切り替え不可に制御する通信装置について、図３，図５を参照しつつ説明する。
【００５１】
図５はメッセージの再生中における切り替え不可／可能期間の切り替えを説明する図である。まず、第一発見者のメッセージが記録され始めると、制御部１０２は、これ以降、他の登録者が話しかけても、記録の対象の切り替えを行わない切り替え不可期間に変更する。この状態で、第一発見者が伝えたいメッセージを話し終えると、ボタン操作を行い（Ｔ３）、切り替え不可期間の終了を通知する。通知を受けた制御部１０２は切り替え不可期間を切り替え可能期間に変更し、この状態で切り替え部３０７は通常通り動作するため他の登録者が話しかけると（Ｔ４）、記録対象の切り替えが行われ、切り替え不可期間となる。なお、切り替え不可／可能期間の変更は、利用者のボタン操作だけではなく、記録対象となる電話から入力される音声データの無音部を検出するものであっても良い。
【００５２】
以上説明した本実施の形態に係る通信装置であれば、伝えたい情報を記録している途中で、記録の対象が他の通信者に切り替わってしまうことがなく、複数の相手に素早く同じ情報を伝えると共に、より正確に情報を伝達することができる。
（実施の形態５）
本実施の形態では、前述の切り替え可能期間において複数の登録者が電話に話しかけた場合でも、混乱すること無く話すべき登録者の音声データが記録される通信装置について、図３，図６を参照しつつ説明する。
【００５３】
図６は本発明の実施の形態５に係る登録情報の構成例を示す図であり、前述した登録情報にさらに優先順位情報を記述してある。
図６において、優先順位情報６０１は、あらかじめ登録情報に登録しておく情報であり、登録者の優先順位を表す。例えば図のように、３０、１００、２５５のような整数値を設定し、数値の大きいものほど優先順位の高いものとして扱う。切り替え部３０７は、切り替え可能期間において、複数の登録者が話しかけた場合、優先順位情報６０１の数値が高い登録者の音声データを優先的に記録する。
【００５４】
ところで、あらかじめ登録された優先順位情報６０１と、実際に起きた事件／事態が必要とする優先順位にズレが生じる場合がある。例えば学校であれば、重要度の高い校長、教頭、学年主任等の順に優先順位をあらかじめ割り当てておけば良いが、起こった事件／事態によっては、学年主任が一番優先的に話さなければならない状態であるかもしれない。また、優先順位の高低にかかわらず、電話に出ることのできない登録者は、その事件／事態に対して意味を成さない。
【００５５】
そこで、制御部１０２は、この優先順位情報を記録中に随時変更する。何らかの事件／事態において、重要な人物は必然的に多くの回数、時間にわたって話そうとする。制御部１０２は、各登録者がメッセージを話した回数や、時間に応じて、段階的に優先順位情報６０１の数値を引き上げる。また、ただ傍聴しているだけの登録者や、電話に出ない登録者の優先順位情報６０１は段階的に引き下げる。従って、会話が進むにつれて、起こった事件／事態に対して、重要な人物ほど優先的に話せるようになる。
【００５６】
以上説明したように本発明の実施の形態５に係る通信装置によると、切り替え可能期間に複数の通信者がアクセスした場合、優先順位の高い通信者が優先的に送信ことができ、即ち送受信が混乱することなく重要な情報を伝えることができるため、複数の相手に素早く同じ情報を伝えると共に、より正確に情報を伝達することができる。
（実施の形態６）
本実施の形態の通信装置は、上述の通信装置において、利用者が、現在の参加人数を問い合わせることを可能としたものである。
【００５７】
つまり、利用者が現在の参加人数をボタン操作等により問い合わせると、制御部１０２は、音声再生部１０５に、現在の参加人数を知らせる音声を再生するように通知する。音声再生部１０５は、電話発信部１０６と通話状態となっている電話の総数を再生する。
【００５８】
以上説明したように本発明の実施の形態６に係る通信装置によると、現在の参加人数を把握することができ、複数の相手に素早く同じ情報を伝えると共に、より正確に情報を伝達することができる。
【００５９】
以上の説明では、火事、災害、不審者の侵入等の緊急を要する事件／事態が発生した場合について説明したが、通信を行う理由について特に制限するものではない。
【００６０】
また、通信手段として電話を例に説明したが、その他の通信手段を用いることもできる。
さらに、通信を音声により行う例を示したが、音声以外のデータにより通信することも可能である。
【００６１】
【発明の効果】
以上のように、本発明の通信装置によると、発信用通信回線毎に再生用バッファを有することにより、データ送信者がデータを送信・記録中であっても、複数のデータ受信者が記録されたデータの最初から受信することができ、複数の相手に素早く同じ情報を伝えると共に、より正確に情報を伝達することができる。
【００６２】
また、切り替え部を備えることにより、データ送受信者間で双方向のデータ転送が可能となり、データ送信者のデータを受信した後、データ送信者にアクセスすることなくデータの内容を確認することができるため、複数の相手に素早く同じ情報を伝えると共に、より正確に情報を伝達することを可能とすることができる。
【００６３】
また、データの受信時に、まず、データ送信時との時間差などの通信情報を受信することにより、データ受信者がどのタイミングでデータを受信しても、直ちにライブ位置からのデータを受信することができ、即ち、後からデータを受信し始めたり、アクセスし直してきたデータ受信者でもすぐにデータの送受信に参加することができるため、複数の相手に素早く同じ情報を伝えると共に、より正確に情報を伝達することを可能とすることができる。
【００６４】
また、切り替え不可／可能期間を設けることにより、伝えたい情報を記録している途中で、記録の対象が他の通信者に切り替わってしまうことがなく、複数の相手に素早く同じ情報を伝えると共に、より正確に情報を伝達することができる。
【００６５】
また、通信者に優先順位をつけることにより、切り替え可能期間に複数の通信者がアクセスした場合、優先順位の高い通信者が優先的に送信ことができ、即ち送受信が混乱することなく重要な情報を伝えることができるため、複数の相手に素早く同じ情報を伝えると共に、より正確に情報を伝達することができる。
【００６６】
また、通信中の参加人数を確認できるようにすることにより、複数の相手に素早く同じ情報を伝えると共に、より正確に情報を伝達することができる。
【図面の簡単な説明】
【図１】本発明の実施の形態１に係る通信装置の構成を示すブロック図
【図２】本発明の実施の形態１に係る登録情報の構成例を示す図
【図３】本発明の実施の形態２に係る通信装置の構成を示すブロック図
【図４】（ａ）本発明の実施の形態３に係る記憶装置に記憶されるメッセージを例示する図
（ｂ）登録者が電話で聴く内容を例示する図
【図５】メッセージの再生中における切り替え不可／可能期間の切り替えを説明する図
【図６】本発明の実施の形態５に係る登録情報の構成例を示す図
【符号の説明】
１０１　　電話受信部
１０２　　制御部
１０３　　音声記録部
１０４　　記憶装置
１０５　　音声再生部
１０６　　電話発信部
２０１　　電話番号
３０７　　切り替え部
４０１　　応答メッセージ
６０１　　優先順位情報
Ａ　　通信装置
Ｂ　　通信装置
【図１】
2004135205.tif 000003
【図２】
2004135205.tif 000004
【図３】
2004135205.tif 000005
【図４】
2004135205.tif 000006
【図５】
2004135205.tif 000007
【図６】
2004135205.tif 000008